(57)【要約】【課題】電動送風機駆動用モータに至る前の風路での風路損失が少ない電気掃除機を得ることができる電気掃除機を得る。【解決手段】電動送風機駆動用モータの上流にあって、集塵室から空気流が導入される連結風路を備えた電気掃除機において、集塵室後壁に前記連結風路と連通する連通穴を形成し、この連通穴とモータで吸引される空気の導入口との間を中空筒状の連結風路で連結し、その連通穴から排出された空気が連結風路の接続部で所定の角度以下に屈曲してモータの吸込口側に吸引導入される。【選択図】図２
2010029401.tif 000002
【特許請求の範囲】
【請求項１】
電動送風機駆動用モータと、モータより上流に位置する集塵室と、前記モータと前記集塵室の間に位置する連結風路とを備えた電気掃除機において、
前記集塵室は上流側に吸込口、下流側に集塵室後壁を備え、
この集塵室後壁には前記連結風路と連通する連通穴を形成し、
この連通穴から前記モータの空気導入口間を前記連結風路で連結し、
前記連通穴の中心軸線Ｘ１と前記モータの中心軸線Ｘ２は、水平方向、又は垂直方向、又はこれらと別の方向において所定の偏位Ｙ１，Ｙ２があり、
前記連通穴から前記モータに至る間を、前記中心線Ｘ１と中心線Ｘ２を直線的につなぐようにこれら二つの中心線Ｘ１、Ｘ２に対して前記連結風路の中心軸線Ｘ３を所定角度α１、α２傾斜させていることを特徴とする電気掃除機。
【請求項２】
電動送風機駆動用モータと、モータより上流に位置する集塵室と、前記モータと前記集塵室の間に位置する連結風路とを備えた電気掃除機において、
前記集塵室は上流側に吸込口、下流側に集塵室後壁を備え、
この集塵室後壁には前記連結風路と連通する連通穴を形成し、
この連通穴から前記モータの空気導入口間に至る連結風路は、その中心軸線Ｘ３が前記連通穴の中心軸線Ｘ１に対して所定角度β１、β２以下に傾斜している電気掃除機。
【請求項３】
前記集塵室の前面部に前記吸込口が形成され、この吸込口と対向する集塵室の後壁面に前記連通穴が形成されていることを特徴とする請求項１又は２に記載の電気掃除機。
【発明の詳細な説明】
【技術分野】
【０００１】
本発明は、電気掃除機において、その電動送風機駆動用モータに至るまでの風路形状に関するものである。
【背景技術】
【０００２】
従来、電動送風機駆動用モータ１とコードリール８は、図１１、図１２に示すように集塵室２の後方に上下２段重ねの状態で配置されている（特許文献１）。
または図１３、図１４に示すように集塵室２の後方に左右並べた状態で配置されているものもある（特許文献２）。
【特許文献１】特開２００７−２６１６５８号公報（図２）
【特許文献２】特許３４１６２７３号公報（図１）
【発明の開示】
【発明が解決しようとする課題】
【０００３】
しかしながら、上記従来技術のような構成においては、掃除機本体の前面に位置しているホース差込み口４から集塵室２に流入した空気は、集塵室２から出た直後でそれまでの進行方向に対して水平（横）方向または上（鉛直）方向へ急激に屈折するものであったたま、そのような排気過程における風路損失が多くなっているという課題があった。
本発明は、上記のような課題を解決するためになされたもので、電動送風機駆動用モータに至る前の風路での風路損失が少ない電気掃除機を得ることを目的とするものである。
【課題を解決するための手段】
【０００４】
本発明に係る電気掃除機は、電動送風機駆動用モータと、モータより上流に位置する集塵室と、前記モータと前記集塵室の間に位置する連結風路とを備えた電気掃除機において、前記集塵室は上流側に吸込口、下流側に集塵室後壁を備え、この集塵室後壁には前記連結風路と連通する連通穴を形成し、この連通穴から前記モータの空気導入口間を前記連結風路で連結し、前記連通穴の中心軸線Ｘ１と前記モータの中心軸線Ｘ２は、水平方向、又は垂直方向、又はその他の方向において所定の偏位があり、前記連通穴から前記モータの間を、前記中心線Ｘ１と中心線Ｘ２を直線的につなぐようにこれら二つの中心線に対して前記連結風路の中心軸線Ｘ３を所定角度α傾斜させていることを特徴とするものである。
【０００５】
さらに本発明に係る電気掃除機は、電動送風機駆動用モータと、モータより上流に位置する集塵室と、前記モータと前記集塵室の間に位置する連結風路とを備えた電気掃除機において、前記集塵室は上流側に吸込口、下流側に集塵室後壁を備え、この集塵室後壁には前記連結風路と連通する連通穴を形成し、この連通穴から前記モータの空気導入口間に至る連結風路は、その中心軸線Ｘ３が前記連通穴の中心軸線１に対して所定角度β以下に傾斜していることを特徴とするものである。
【発明の効果】
【０００６】
本発明に係る電気掃除機によれば、電動送風機駆動用モータに至る前の連結風路での風路損失を少なくすることができる。
【発明を実施するための最良の形態】
【０００７】
実施の形態１
図１は、本発明の実施の形態１に係る電気掃除機を上方向から見た図であり、図２は、本発明の実施の形態１に係る電気掃除機を横方向から見た図である。
【０００８】
本発明の実施の形態１に係る電気掃除機は、電動送風機駆動用モータと、モータより上流に位置する集塵室と、前記モータと前記集塵室の間に位置する連結風路とを備えた電気掃除機において、前記集塵室は上流側に吸込口、下流側に集塵室後壁を備え、この集塵室後壁には前記連結風路と連通する連通穴を形成し、この連通穴から前記モータの空気導入口間を前記連結風路で連結し、前記連通穴の中心軸線１と前記モータの中心軸線２は、水平方向で偏位（ズレ）がゼロであり、垂直（鉛直）方向において所定の偏位Ｙ１があり、前記連通穴から前記モータとの間を、前記中心線１と中心線２を直線的につなぐようにこれら二つの中心線に対して前記連結風路の中心軸線を所定角度α１傾斜させていることを特徴とするものである。
【０００９】
実施の形態１の電気掃除機１０は、図１、図２に示しているように電動送風機駆動用モータ（ブロワーモータとも言うが以下、単に「モータ」という）１、集塵室２、連結風路３、吸込口４、集塵室後壁５、連通穴６、接触面７、コードリール８を有する。Ｃは電気掃除機の外殻を形成する本体ケースで、背面が開口した前ケースＦＣと、この前ケースに着脱自在に結合され、結合時には前ケースの背面開口を閉塞する後ケースＢＣとから構成されている。
前記モータ１は、図２に示すように電気掃除機１０の後ケースＢＣ内部の上部に配置され、前方より空気を吸引し後方へ空気を排出する。
【００１０】
前記集塵室２は前ケースの内部に形成され、その内部には集塵フィルターとなる紙パック式フィルター（図示せず）が設置されている。なおこの集塵フィルターは前ケースＦＣを後ケースから外した状態で取り出せることができるようになっている。なお、使い捨てタイプの紙パック式フィルターではなく、前ケースＦＣに固定され、反復使用できるような集塵フィルターでも良く、さらに紙パック式フィルターと同時に使用する構成であっても良い。
【００１１】
前記連結風路３はモータ１と集塵室２の間に配置され、集塵室２から排出した空気をモータ１に送る風路となっており、一般的には中空の円筒形状をしている。
吸込口４は集塵室２の上流に配置されるよう、前ケースＦＣの前面壁に形成され集塵室２に空気を取り込む入口となっている。また、この吸込口の上流には屈曲自在なホース等の吸い込み用具が着脱自在に接続される。
【００１２】
前記集塵室後壁５は集塵室２の後方壁である。
前記連通穴６は集塵室後壁５に設けられた円形の穴であり、連結風路３の前方（上流）端部と連通している。
【００１３】
接触面７は連結風路３において、モータ１の空気導入口に近い側（下流端部）の面であり、モータ１の空気導入口周縁部と密着することにより連結風路３の気密性を維持している。
コードリール８は電気掃除機１０の後ケースＢＣ内部の下部に配置され、電気掃除機１０のモータ１に電源を供給する電源コードがリールに巻かれて収納されている。なお、このコードリールはそのリールの回転中心軸が垂直（鉛直）であるため、水平面内で回転する構成になっている。
【００１４】
次に、電気掃除機１０の中を通る風の流れについて説明する。
モータ１の駆動により吸込口４から集塵室２の中に入った空気は、連通穴６から連結風路３を通ってモータ１に運ばれる。符号ＦＬの矢印は空気の流れを示す。
【００１５】
その後、モータ１の中の通路を通過した空気は、モータ１の後方から後ケースＢＣに形成された排気口を通り、電気掃除機１０の外へと排出される。つまり、図１、図２の電気掃除機１０は、前記連通穴６の中心軸線Ｘ１と前記モータ２の中心軸線Ｘ２は、水平方向では偏位（寸法のズレ）がゼロであるが、鉛直方向においては所定の偏位Ｙ１があり、前記連通穴６から前記モータ２の間は、前記中心線Ｘ１と中心線Ｘ２を直線的につなぐようにこれら二つの中心線に対して前記連結風路３の中心軸線Ｘ３を所定角度α１傾斜させているから、吸込口４から集塵室２に流入した空気が連通穴６から排出された直後においては上方向へなめらかに屈折し、風路損失が小さい。なお、前記所定角度α１は、３０度以下が望ましい。
【００１６】
このように、モータ１の吸込み性能を十分に発揮する為には、排気風路である連結風路３をなめらか（排気流が流れる風路の途中で急激な屈折や絞りなどが無い形状）に形成することが望ましく、特にモータ１より上流での連結風路３の形状が、モータ１の吸込み性能への影響が大きいが、前記した実施の形態１では連通穴６から排出された直後において排気風は上方向へなめらかに屈折し、風路損失が小さい。
【００１７】
実施の形態２．
図３は、本発明の実施の形態２に係る電気掃除機を上方向から見た図であり、図４は、本発明の実施の形態２に係る電気掃除機を横方向から見た図である。
以下の説明では前記実施の形態１の掃除機と同一部分には同一符号を付し、説明を省略する場合がある。
【００１８】
実施の形態２に係る電気掃除機１０は、モータ１、集塵室２、連結風路３、吸込口４、集塵室後壁５、連通穴６、接触面７、コードリール８を有する。
モータ１は電気掃除機１０の内部の後方右部に配置され、前方より空気を吸引し後方へ空気を排出する。
【００１９】
この実施の形態２に係る電気掃除機は、電動送風機駆動用モータ１と、モータより上流に位置する集塵室２と、前記モータ１と前記集塵室２の間に位置する連結風路３とを備え、前記集塵室２は上流側に吸込口４、下流側に集塵室後壁５を備え、この集塵室後壁５には前記連結風路３と連通する連通穴６を形成し、この連通穴から前記モータ１の空気導入口間を前記連結風路で連結し、前記連通穴の中心軸線Ｘ１と前記モータの中心軸線Ｘ２は、鉛直方向では偏位はゼロであり、水平方向では所定の偏位Ｙ２があり、前記連通穴６から前記モータ１の間においては、前記中心線Ｘ１と中心線Ｘ２を直線的につなぐようにこれら二つの中心線に対して前記連結風路３の中心軸線Ｘ３を所定角度α２傾斜させている。なお、前記所定角度α２は、３０度以下が望ましい。
【００２０】
実施の形態２において、電気掃除機１０の中を通る風の流れは、実施の形態１と同様なので説明はしないが、吸込口４から集塵室２に流入した空気が連通穴６から排出された直後においては横方向へなめらかに屈折し、風路損失が小さい。
【００２１】
前記２つの実施の態様で、所定角度α１とα２は同一でも良い。また偏位Ｙ１とＹ２が同一であっても良い。また水平と垂直以外の方向、例えばその中間の角度（例えば正面から見て４５度左上）に、連結風路３が傾斜しているものでも良いし、また水平と垂直の両方に傾斜しているものでも良い。
【００２２】
実施の形態３．
図５は、本発明の実施の形態３に係る電気掃除機を上方向から見た図であり、図６は、本発明の実施の形態３に係る電気掃除機を横方向から見た図である。
以下の説明では前記実施の形態１の掃除機と同一部分には同一符号を付し、説明を省略する場合がある。
【００２３】
この実施の態様３に係る電気掃除機１０は、電動送風機駆動用モータ１と、モータより上流に位置する集塵室２と、前記モータ１と前記集塵室２の間に位置する連結風路３とを備え、前記集塵室２は上流側に吸込口４、下流側に集塵室後壁５を備え、この集塵室後壁には前記連結風路３と連通する連通穴６を形成し、この連通穴から前記モータ１の空気導入口間口に至る連結風路は、その中心軸線Ｘ３が前記連通穴６の中心軸線Ｘ１に対して所定角度β１以下に傾斜している。つまり、モータ１はその中心軸線が、垂直になっている集塵室後壁５に対し所定の角度β１をつけて配置することにより、モータ１の中心軸線が水平面においては連通穴６の中心軸線と一直線上に配置されて偏位が無く、一方垂直面においてはモータ１の中心軸線が連通穴６の中心軸線と所定の角度β１だけ傾斜している。
【００２４】
実施の形態３に係る電気掃除機１０の中を通る風の流れは、実施の形態１と同様なので詳しく説明はしないが、連通穴６が吸込口４と水平面では一直線に配置され、垂直面では所定の角度角度β１だけ傾斜している。さらにモータ１の中心軸が連結風路３の中心軸と一直線上に配置されている為、吸込口４から流入した空気が連通穴６を出た直後には水平面では全く屈曲せず、垂直面では上（鉛直）方向へなめらかに屈折するから、風路損失が小さい。
【００２５】
また、電気掃除機１０は組立ての時にモータ１を後ケースＢＣの中に上方から入れるのが一般的となっている為、モータ１を所定角度β１つけて配置しているこの構成では、接触面７も角度がついているので、モータ１の後ケースＢＣへの挿入作業も容易となる。
【００２６】
実施の形態４．
図７は、本発明の実施の形態４に係る電気掃除機を上方向から見た図であり、  図８は、本発明の実施の形態４に係る電気掃除機を横方向から見た図である。以下の説明では前記実施の形態１の掃除機と同一部分には同一符号を付し、説明を省略する場合がある。
【００２７】
この実施の形態４に係る電気掃除機１０は、電動送風機駆動用モータ１と、モータより上流に位置する集塵室２と、前記モータ１と前記集塵室２の間に位置する連結風路３とを備え、前記集塵室２は上流側に吸込口４、下流側に集塵室後壁５を備え、この集塵室後壁には前記連結風路３と連通する連通穴６を形成し、この連通穴から前記モータ１の空気導入口間口に至る連結風路は、その中心軸線Ｘ３が前記連通穴６の中心軸線Ｘ１に対して水平面で横方向へ所定角度β２以下に傾斜している。さらに、前記連通穴６の中心軸線が吸込口４の中心軸線と一直線上に形成されている。
つまり、モータ１はその中心軸線が、垂直になっている集塵室後壁５に対し水平方向へ所定の角度β２をつけて屈曲し、また垂直方向では全く傾斜せずに一直線状に配置されている（図８参照）。
【００２８】
実施の形態４に係る電気掃除機１０の中を通る風の流れは、実施の形態１と同様なので詳しく説明はしないが、吸込口４から流入した空気が集塵室２の中を真直ぐ進み、連通穴６から排出された直後は、垂直面では上（鉛直）方向に全く屈曲せず、水平面では横に所定角度β２だけなめらかに屈折するから、風路損失が小さい。
【００２９】
前記実施の態様３と４で、所定角度β１とβ２は同一でも良い。また水平と垂直以外の方向、例えばその中間の角度（例えば正面から見て４５度左上）に、連結風路３がβ１又はβ２の角度傾斜しているものでも良いし、また水平と垂直の両方に同時に傾斜しているものでも良い。
【００３０】
実施の形態５．
図９は、本発明の実施の形態５に係る電気掃除機の前ケースＦＣを前方側で斜め上方向から見た分解図であり、図１０は同じく前ケースを後方側で見た分解図である。以下の説明では前記実施の形態１の掃除機と同一部分には同一符号を付し、説明を省略する場合がある。
この実施の形態５の電気掃除機１０では、集塵室２を内部に形成する本体ケースＣの前ケースＦＣが二重構造になっており、表面に塗装や装飾を施したプラスチック成型品の外ケース（図示せず）と、全体がプラスチックで一体に成型加工され、上面全体が開口した集塵ケース１３とから構成させている。この集塵ケース１３には、前方に円形の吸込口４が形成され、これと対応する背面（後壁面）には全体が格子１４で覆われた円形の連通穴６が形成されている。
【００３１】
集塵ケース１３の背面壁となる集塵室後壁５の後側表面には、図１０に示すように全体が二重壁構造になった中空筒状の連結風路３が一体に形成されている。この連結風路全体は斜め上方に全体が傾斜しており、その末端部の口縁部が電動送風機駆動用モータ１の込口側に接触する接触面７となる。なお、実際には、電動送風機駆動用モータ１の吸込口周縁部にはこれを囲むようにゴムなどの弾力性に富む材料で形成されたシール部材が事前に取り付けられ、そのシール材が前記接触面７の全周に亘って接触することで集塵室２からモータ１までに機密性が維持される。
【００３２】
実施の形態５に係る電気掃除機１０の中を通る風の流れは、実施の形態１と同様なので詳しく説明はしないが、吸込口４から流入した空気が集塵ケース１３の内部空間として形成される集塵室２の中を真直ぐ後方に進み、連通穴６から排出された直後は、垂直面では上（鉛直）方向に屈曲し、また水平面では横に屈折しないから、風路損失が小さい。
【００３３】
発明に係る電気掃除機によれば、電動送風機駆動用モータに至る前の連結風路での風路損失を少なくすることができるから、広く一般の電気掃除機に広く利用できる。
【図面の簡単な説明】
【００３４】
【図１】実施の形態１に係る電気掃除機を上から見た図。
【図２】実施の形態１に係る電気掃除機を横から見た図。
【図３】実施の形態２に係る電気掃除機を上から見た図。
【図４】実施の形態２に係る電気掃除機を横から見た図。
【図５】実施の形態３に係る電気掃除機を上から見た図。
【図６】実施の形態３に係る電気掃除機を横から見た図。
【図７】実施の形態４に係る電気掃除機を上から見た図。
【図８】実施の形態４に係る電気掃除機を横から見た図。
【図９】実施の形態５に係る電気掃除機の集塵ケースを斜め上から見た斜視図。
【図１０】実施の形態５に係る電気掃除機の集塵ケースを後方斜め横から見た斜視図。
【図１１】従来の電気掃除機を上から見た図。
【図１２】従来の電気掃除機を横から見た図。
【図１３】従来の別の構造の電気掃除機を上から見た図。
【図１４】従来の別の構造の電気掃除機を横から見た図である。
【符号の説明】
【００３５】
１  モータ、２  集塵室、３  連結風路、４  吸込口、５  集塵室後壁、６  連通穴、７  接触面、８  コードリール、９  後ろ車輪、１０  電気掃除機、１１  前車輪、１２  床面、１３  集塵ケース。
【図１】
2010029401.tif 000003
【図２】
2010029401.tif 000004
【図３】
2010029401.tif 000005
【図４】
2010029401.tif 000006
【図５】
2010029401.tif 000007
【図６】
2010029401.tif 000008
【図７】
2010029401.tif 000009
【図８】
2010029401.tif 000010
【図９】
2010029401.tif 000011
【図１０】
2010029401.tif 000012
【図１１】
2010029401.tif 000013
【図１２】
2010029401.tif 000014
【図１３】
2010029401.tif 000015
【図１４】
2010029401.tif 000016